(57)【要約】【課題】ハイヒールの靴を履く際に、爪先と指の付け根部分にかかる体重の負担を軽減させるようにした婦人用ソックスを提供する。【解決手段】ハイヒールの靴を履く際の婦人用ソックス１であって、該ソックス爪先側の前方足底部１０と爪先部８をパイル編に編成して、厚みを付与したハイヒール用婦人ソックス１を構成するものである。【選択図】図１
0003113207.tif 000002
【実用新案登録請求の範囲】
【請求項１】
ハイヒールの靴を履く際の婦人用ソックスであって、該ソックス爪先側の前方足底部と爪先部をパイル編に編成して、厚みを付与したことを特徴とするハイヒール用婦人ソックス。
【請求項２】
前記婦人用ソックスは、口ゴム部と身部と足甲部と踵部と足底部の大部分である本体部は、表糸と裏糸によって平編に編成されている請求項１記載のハイヒール用婦人ソックス。
【請求項３】
前記前方足底部は、表糸３本と裏糸１本の４本の糸を、シンカーの大爪に係合して編成されるパイル編からなり、前記ソックス爪先側は、表糸１本と裏糸１本の糸を、シンカーの大爪に係合して編成されるパイル編からなる請求項１又は請求項２記載のハイヒール用婦人ソックス。
【請求項４】
前記表糸は、３０〜１００デニールのナイロンフィラメント糸の双糸からなり、前記裏糸は、２０〜４０デニールのポリウレタン弾性糸に４０〜１００デニールのポリエステルフィラメントまたはナイロンフィラメントを巻回したフィラメントツイストヤーン（ＦＴＹ）からなる請求項１ないし請求項３のいずれかに記載のハイヒール用婦人ソックス。
【考案の詳細な説明】
【技術分野】
【０００１】
本考案は、ハイヒールの靴を履く際の婦人用ソックスに係り、特にハイヒールのブ−ツ履く際に着用するのに最適のハイヒール用婦人ソックスに関するものである。
【背景技術】
【０００２】
女性の人の靴は、殆どが爪先の方より踵の方が高くなっている、所謂ハイヒールになって、爪先に向かって傾斜している。そのため、静止時では体重の７割近くが、また歩行時には１００％の体重が爪先の指の付け根にかかっている。
【０００３】
従来のソックスは、全体が同じ厚みなっているので、指の付け根を保護し、負担を軽減させる機能は備わっていない。仮に、この負担を軽減させるために、全体を分厚い生地にすると、暑苦しく履く方のブーツ自体もサイズの大きなものを選定しなければならず、ファッション的にもすっきりしないものとなる。
【０００４】
そのため女性の人は、パンストの上から、足底を保護するショートソックスを重ね着する人も多い。しかし、ブーツの場合には、ソックスが脱げてしまうので、ショートソックスを利用することもできない。
【０００５】
体重のかかる足底側に、クッションを付設した靴下は公知である（例えば特許文献１）。しかし、クッションは足底の全体に設けたものである。
【特許文献１】特開平９−３１６７０５号公報
【０００６】
この点、靴下の少なくとも１区画に、パイルを形成した靴下の先行技術もある（例えば実用新案文献１）。しかし足底は、全体が１区画になっていて、ハイヒール靴を履く婦人の指先の負担を軽減するものではない。
【特許文献２】実登第３０３７２０７号公報
【０００７】
また足底部の爪先側と踵側に、パイルを形成した靴下も提案されている（例えば特許文献３）。しかし、この靴下は、シリンダの正逆往復回転による編成によっている。
【特許文献３】特開平９−４１２０２号公報
【０００８】
更に、ハイヒール用の靴下の先行技術もある（例えば特許文献３）。しかしこの靴下は、ずり落ち防止を目的としたものである。
【特許文献４】特開２００２−１４６６０１号公報
【０００９】
更にまた、別のハイヒール用カバーの先行技術もある（例えば実用新案文献２）。しかし、これは、パンストの足底に履くカバーに関するものである。
【特許文献５】実開平６−３０１０５号公報
【考案の開示】
【考案が解決しようとする課題】
【００１０】
上記の事情に鑑み、本考案は、ハイヒールの靴を履く際に、爪先の指の付け根部分にかかる体重の負担を軽減させるようにした、婦人用ソックスを提供することを課題とする。
【課題を解決するための手段】
【００１１】
上記課題を達成するために、本考案は、ハイヒールの靴を履く際の婦人用ソックスであって、該ソックス爪先側の前方足底部と爪先部にパイル編みで編成して、厚みを付与したハイヒール用婦人ソックスを構成するものである。
【考案の効果】
【００１２】
本考案のハイヒール用婦人ソックスは、ソックス爪先側の前方足底部と爪先部をパイル編みで編成したので、ハイヒールの靴を履いた際に、爪先の指の付け根部分及び指にかかる体重の負担を軽減させることができる。
【００１３】
本考案のハイヒール用婦人ソックスは、ソックス爪先側の前方足底部と爪先部をパイル編みで編成したので、ブーツ自体をサイズの大きなものを選定する必要がなくなる。
【００１４】
本考案のハイヒール用婦人ソックスは、ソックス爪先側の前方足底部と爪先部をパイル編みで編成したので、ファッション的にもすっきりしたものとなる。
【考案を実施するための最良の形態】
【００１５】
次に本考案の実施例を、以下図面に基づいて説明する。
【実施例１】
【００１６】
図１は、本考案のハイヒール用婦人ソックスを裏返した状態の一実施例を示す平面図である。本考案のハイヒール用婦人ソックスは、用途もブーツ用に限られるものではなく、また色や柄も黒や縦縞に限定されるものではなく、ソックスの種類もハイソックスに限定されることなく、タイツやストッキングやオーバーニーや短靴下やアンクレットやフートカバーにも適用することができ、そのための編成機種も限定されるものではない。
【００１７】
本実施例のソックス１は、Ｋ式編機のメークアップ装置によって、口ゴム部２をダブルウエルトによって二重の袋編３によって縫製されている。身部４と、足甲部５と踵部７と足底部６の大部分である本体部は、図２に示すように、表糸Ｆと裏糸Ｂによって、例えば平編に編成されており、図３に示すように、本体部の表糸と裏糸はシンカーＳの小爪ＬＮに係合している。表糸は、３０〜１００デニールのナイロンフィラメント糸の双糸からなり、裏糸は、２０〜４０デニールのポリウレタン弾性糸に４０〜１００デニールのポリエステルフィラメントまたはナイロンフィラメントを巻回したフィラメントツイストヤーン（ＦＴＹ）からなる。そして９は、リンキングの縫製箇所である。
【００１８】
本考案のハイヒール用婦人ソックス１は、ソックス爪先部８に隣接した前方足底部１０と爪先部８にはパイル編みで編成されている。図３に示すように、前方足底部１０は表糸３本と裏糸１本の合計４本の糸を、図４に示すように、シンカーＳの大爪ＨＮに係合して編成されている。すなわち、本体部と同様な表糸と裏糸のほかに表糸と同じように、例えば３０〜１００デニールのナイロンフィラメント糸の双糸を２本付加して編成されている。
【００１９】
これにより、シンカーループを形成する地糸形成部と地糸形成部より高いパイル糸を形成するパイル形成部が設けられるので、シンカーＳをニードル間へ進退駆動するカムを制御することによってパイル編Ｐが編成される。
なお、ソックスの表糸と裏糸の編成編地のほかに、表糸と同じ例えば３０〜１００デニールのナイロンフィラメント糸の双糸を２本付加してパイル編Ｐに編成し、２本付加したパイル編Ｐの両端でパイル糸を切断１１するようにしてもよい。
【００２０】
爪先部８は、図５に示すように、表糸と裏糸によって、パイル編に編成されており、図４に示すように、本体部の表糸と裏糸はシンカーＳの大爪ＬＮに係合している。本体部と同様に、表糸は、例えば３０〜１００デニールのナイロンフィラメント糸の双糸からなり、裏糸は、例えば２０〜４０デニールのポリウレタン弾性糸に４０〜１００デニールのポリエステルフィラメントまたはナイロンフィラメントを巻回したフィラメントツイストヤーン（ＦＴＹ）からなる。
従って、爪先部８と前方足底部１０がパイル編みで編成されているため、爪先と指の付け根部分が、パイル編みで編成されているクッション作用によって完全に保護される。
【００２１】
本実施例のソックス１の編地は、本体部の平編が０．６ｍｍ厚であるのに対し、前方足底部１０は１．８５ｍｍ厚にしている。このように前方足底部１０の部分は、２倍以上の厚みを付与して、体重の負担を受け止めうるようにしている。
【産業上の利用可能性】
【００２２】
本発明の靴下は、ブーツでハイヒールを履く際の婦人用ソックスとして、タイツやストッキングやオーバーニーやハイソックスや短靴下やアンクレットやフートカバーに広く利用することのできるものである。
【図面の簡単な説明】
【００２３】
【図１】本考案のハイヒール用婦人ソックスを裏返した状態の一実施例を示す平面図である。
【図２】本考案のハイヒール用婦人ソックスの本体部の一実施例を示す組織図である。
【図３】本考案のハイヒール用婦人ソックスを製造する際に用いるシンカーと編み糸との関係を略示した説明図である。
【図４】本考案のハイヒール用婦人ソックスの前方足底部の一実施例を示す組織図である。
【図５】本考案のハイヒール用婦人ソックスの爪先部の一実施例を示す組織図である。
【符号の説明】
【００２４】
１   
ソックス
２   
口ゴム部
３   
袋編
４   
身部
５   
足甲部
６   
足底部
７   
踵部
８   
爪先部
９   
縫製箇所
１０  前方足底部
Ｆ   
表糸
Ｂ   
裏糸
Ｓ   
シンカー
ＬＮ  小爪
ＨＮ  大爪
Ｐ    パイル編
【図１】
0003113207.tif 000003
【図２】
0003113207.tif 000004
【図３】
0003113207.tif 000005
【図４】
0003113207.tif 000006
【図５】
0003113207.tif 000007